(57)【要約】【解決手段】  光路変換光導波路コネクタは、多心光ファイバと無調心で接続可能な光導波路搭載コネクタにおいて、光導波路受入空所を有したコネクタ本体と、光導波路受入空所に装着される光路変換光導波路とを備え、光導波路受入空所は、コネクタ本体の下面および前端面のみをくり抜いて形成されたものである。光導波路受入空所の底壁には、光路変換光導波路をコネクタ本体に取り付け固定するための接着剤溜り場が形成されている。【効果】  取扱いが容易で多心光ファイバと無調心で容易に低損失の光接続を行える光電気混載実装に好適な光路変換光導波路コネクタを提供することができる。また、光路変換光導波路コネクタの使用環境において、十分な耐熱性を保証することができる。また、コネクタ本体に取り付け固定する光路変換光導波路の型を選択するだけで、直角変換だけでなく、任意の角度の光路変換を行えるコネクタとすることができる。【選択図】          図１
2005189257.tif 000002
【特許請求の範囲】
【請求項１】
多心光ファイバと無調心で接続可能な光導波路搭載コネクタにおいて、光導波路受入空所を有したコネクタ本体と、前記光導波路受入空所に装着される光路変換光導波路とを備えており、前記光導波路受入空所は、前記コネクタ本体の下面および前端面のみをくり抜いて形成されたものであることを特徴とする光路変換光導波路コネクタ。
【請求項２】
前記光導波路受入空所の底壁には、前記光路変換光導波路を前記コネクタ本体に取り付け固定するための接着剤溜り場が形成されている請求項１に記載の光路変換光導波路コネクタ。
【請求項３】
前記光路変換光導波路は、直角変換型光導波路である請求項１または２に記載の光路変換光導波路コネクタ。
【請求項４】
前記光路変換光導波路は、１８０度光路変換光導波路である請求項１または２に記載の光路変換光導波路コネクタ。
【請求項５】
前記接着剤溜り場は、仮固定用接着剤溜り場としての浅い凹所であり、前記光導波路受入空所の周囲壁には、完全固定用接着剤注入口を与える縦溝および完全固定用接着剤回り用空気穴が形成されている請求項１から４のうちのいずれか１項に記載の光路変換光導波路コネクタ。
【請求項６】
前記浅い凹所の中央部分には、該浅い凹所よりも深さが浅い島状の仮固定用接着剤塗布用部分が設けられており、該仮固定用接着剤塗布用部分の周囲に溝の形の接着剤溜り部が残されている請求項５に記載の光路変換光導波路コネクタ。
【請求項７】
前記浅い凹所に付与される仮固定用接着剤は、ＵＶ接着剤であり、前記完全固定用接着剤注入口に注入される完全固定用接着剤は、熱硬化接着剤である請求項５または６に記載の光路変換光導波路コネクタ。
【請求項８】
前記仮固定用接着剤による仮固定時にアクティブアラインメントが行われる請求項５または６または７に記載の光路変換光導波路コネクタ。
【請求項９】
前記接着剤溜り場は、固定用接着剤溜り場としての浅い凹所であり、前記光導波路受入空所の周囲壁には、固定用接着剤注入口を与える縦溝および固定用接着剤回り用空気穴が形成されている請求項２または３または４に記載の光路変換光導波路コネクタ。
【請求項１０】
前記固定用接着剤による固定時にパッシブアラインメントが行われる請求項９に記載の光路変換光導波路コネクタ。
【請求項１１】
前記コネクタ本体の前方部の下面には、該コネクタ本体の後端部の下面と該前方部の下面との高さの差を埋めるような脚部が設けられている請求項１から１０のうちのいずれか１項に記載の光路変換光導波路コネクタ。
【請求項１２】
前記コネクタ本体の後端部の下面には、配線逃げ用の凹部が設けられている請求項１から１１のうちのいずれか１項に記載の光路変換光導波路コネクタ。
【請求項１３】
前記光路変換光導波路には、発光素子または受光素子が搭載されている請求項１から１２のうちのいずれか１項に記載の光路変換光導波路コネクタ。
【発明の詳細な説明】
【技術分野】
【０００１】
本発明は、光コネクタに関するものであり、特に、光電気混載実装基板等において好適に用いることが可能な光路変換機能を有した光コネクタに関するものである。
【背景技術】
【０００２】
近年、各種情報を電気信号により送受信する代わりに、光信号にて送受信する光通信および情報処理技術の応用分野が普及してきている。これに伴い、光信号を伝送するための多心の光ファイバーも種々開発され使用されてきており、これら多心の光ファイバー同士、光ファイバーと各種の発光素子や受光素子等との間の接続分離を容易に行えるようにした光コネクタも種々開発され使用されてきている。
【０００３】
この種の光コネクタは、電気信号の接続分離に使用する電気コネクタに比べて、光信号をできるだけ低い伝送損失にて伝送できるようにするために考慮しなければならないことが多い。例えば、光コネクタにおいては光ファイバの軸合せは、低損失伝送を達成するためには重要な要素となる。これは、多心光ファイバや多心光導波路等を使用する光コネクタにおいては特に考慮を要することである。
【０００４】
このような多心光コネクタとしては、従来、例えば、特開平１−２３２３０７号公報に開示されたものや、特開２００１−２６４５８７号公報に開示されたようなものが提案されている。
【０００５】
特開平１−２３２３０７号公報に開示された光導波部品・光ファイバ結合用多心コネクタは、コネクタ本体の中央部に上面および前後端面の三面をくり抜いて形成した溝内に、多心の光導波路を有した光導波路基板を接着剤によって固定し、コネクタ本体の前後端面に２本の嵌合ピンを突設して備えるようにしたものである。この多心コネクタの嵌合ピンは、コネクタ本体に設けたピン穴に接着剤にて固定されうるものとされている。これら嵌合ピンのコネクタ本体への固定は、嵌合ピンがピン穴に対して遊動しうる状態において、相手光プラグをそれら嵌合ピンを介して結合させ、相手光プラグに接続した多心光ファイバとコネクタ本体の多心光導波路との間の光伝送が最も低損失にて行われる位置（軸合せ位置）を見つけて、その位置にて嵌合ピンをピン穴に対して接着剤にて固定することによって行われるものである。
【０００６】
特開２００１−２６４５８７号公報に開示されたコネクター付導波路型光能動素子は、添付図面の図１０および図１１に略示するような構成を有するものである。図１０は、光導波路に垂直な方向から見た断面図であり、図１１は、コネクター側から見た側面図である。これら図に示されるように、このコネクター付導波路型能動素子は、光の伝送方向を直角方向に変換する多心光導波路１の一端にガイドピン用穴９を有したコネクタ８を接続し、他端に発光素子や受光素子６を結合してなるものである。このコネクター付導波路型光能動素子に対して、そのコネクタのガイドピン穴９に相手光コネクタのガイドピン９Ａが挿入されるようにして、相手光コネクタを結合させることができる。このような結合状態において、相手光コネクタに接続された多心光ファイバと多心光導波路１とが互いに軸合せされた状態となるように設計されている。
【０００７】
【特許文献１】特開平１−２３２３０７号公報
【特許文献２】特開２００１−２６４５８７号公報
【発明の開示】
【発明が解決しようとする課題】
【０００８】
前述した光導波部品・光ファイバ結合用多心コネクタは、多心の光導波路が直線型のものであって、光を直線方向に伝送するだけのもので、光の伝送方向を変換するようなものではない。さらにまた、このコネクタにおいては、コネクタ本体の後ろ側に壁がないため、コネクタ本体に光導波路を接着固定する際に前後方向の位置決めが難しいものであった。また、コネクタ本体の後ろ側に壁がなく光導波路がむき出しになっているため、コネクタ同士をクリップ等で接続固定する際に光導波路を傷つける可能性があるために、取扱いが難しいものであった。
【０００９】
一方、前述したコネクター付導波路型光能動素子は、光の伝送方向を直角方向に変換しうるような多心導波路１を有するものであるが、この直角変換光導波路コネクタは、先端部分だけが、コネクタに収められている構造になっているが、このような構造だと以下のような問題点があった。
【００１０】
第一に、光導波路１の大部分がむき出しになっているため、扱いにくい。特に、コネクタ本体８の後ろ側に壁がなく光導波路１がむき出しになっているので、コネクタ同士をクリップ等で接続固定する際に光導波路１を傷つける可能性がある。従って、取り扱いが難しい。
【００１１】
第二に、コネクタ本体８の後ろ側に壁がないため、アラインメントの際に前後方向の位置決めができない。
【００１２】
さらにまた、前述の先行技術の場合には、いずれも光導波路の接着固定に関して以下のような問題点があった。
【００１３】
第一に、光導波路とコネクタ本体との隙間に接着剤が広がる恐れがあり、接着固定における接着剤の漏れ、あるいは不足が起きやすい。漏れて導波路前面に付着すると光学的性能が出ない恐れがある。
【００１４】
第二に、前述したコネクター付導波路型光能動素子では、光導波路１の上下左右ともにコネクタ本体８に囲まれているため、光導波路１とコネクタ本体８との接着部にＵＶ照射することが困難である。従って、ＵＶ硬化接着剤によりアクティブアラインメントを仮止め固定し、その後熱硬化接着剤により、完全固定を行って十分な耐熱性を得ることができない。
【００１５】
第三に、前述したコネクター付導波路型光能動素子では、上下にコネクタ本体８を合せる構造であるため、ガイドピン穴９の寸法精度を出すのが困難である。
第四に、むき出しになった光導波路保護のための外装が必要となったときコストがかかる。
【００１６】
近年、種々な光情報処理回路等においては、より効率良く回路構成部品を配置し、しかもシステム全体のサイズをコンパクトなものとする必要性に迫られている。したがって、ボード内およびボード間において光伝送を直線方向のみとするのでは、そのような必要性に応えきれず、光伝送の方向を、直角方向のみならず、任意の方向へと光路変換できるような多心光コネクタの需要が高まってきている。また、当然のことながら、ボード内およびボード間の光伝送の効率もできるだけ高いものとする必要がある。特に、光電気混載実装の分野においては、前述したような従来の多心光コネクタは、このような要望に十分に応え得るものではなかった。
【００１７】
したがって、本発明の目的は、取扱いが容易で、多心光ファイバと無調心で、容易に低損失で接続可能であり、さらに十分な耐熱性を有する光路変換光導波路コネクタを提供することである。
【課題を解決するための手段】
【００１８】
本発明によれば、多心光ファイバと無調心で接続可能な光導波路搭載コネクタにおいて、光導波路受入空所を有したコネクタ本体と、前記光導波路受入空所に装着される光路変換光導波路とを備えており、前記光導波路受入空所は、前記コネクタ本体の下面および前端面のみをくり抜いて形成されたものであることを特徴とする光路変換光導波路コネクタが提供される。
【００１９】
本発明の一つの実施の形態によれば、前記光導波路受入空所の底壁には、前記光路変換光導波路を前記コネクタ本体に取り付け固定するための接着剤溜り場が形成されている。
本発明の別の実施の形態によれば、前記光路変換光導波路は、直角変換型光導波路である。
【００２０】
本発明のさらに別の実施の形態によれば、前記光路変換光導波路は、１８０度光路変換光導波路である。
【００２１】
本発明のさらに別の実施の形態によれば、前記接着剤溜り場は、仮固定用接着剤溜り場としての浅い凹所であり、前記光導波路受入空所の周囲壁には、完全固定用接着剤注入口を与える縦溝および完全固定用接着剤回り用空気穴が形成されている。
【００２２】
本発明のさらに別の実施の形態によれば、前記浅い凹所の中央部分には、該浅い凹所よりも深さが浅い島状の仮固定用接着剤塗布用部分が設けられており、該仮固定用接着剤塗布用部分の周囲に溝の形の接着剤溜り部が残されている。
【００２３】
本発明のさらに別の実施の形態によれば、前記浅い凹所に付与される仮固定用接着剤は、ＵＶ接着剤であり、前記完全固定用接着剤注入口に注入される完全固定用接着剤は、熱硬化接着剤である。
【００２４】
本発明のさらに別の実施の形態によれば、前記仮固定用接着剤による仮固定時にアクティブアラインメントが行われる。
【００２５】
本発明のさらに別の実施の形態によれば、前記接着剤溜り場は、固定用接着剤溜り場としての浅い凹所であり、前記光導波路受入空所の周囲壁には、固定用接着剤注入口を与える縦溝および固定用接着剤回り用空気穴が形成されている。
【００２６】
本発明のさらに別の実施の形態によれば、前記固定用接着剤による固定時にパッシブアラインメントが行われる。
【００２７】
本発明のさらに別の実施の形態によれば、前記コネクタ本体の前方部の下面には、該コネクタ本体の後端部の下面と該前方部の下面との高さの差を埋めるような脚部が設けられている。
【００２８】
本発明のさらに別の実施の形態によれば、前記コネクタ本体の後端部の下面には、配線逃げ用の凹部が設けられている。
【００２９】
本発明のさらに別の実施の形態によれば、前記光路変換光導波路には、発光素子または受光素子が搭載されている。
【発明を実施するための最良の形態】
【００３０】
次に、添付図面に基づいて、本発明の実施の形態および実施例について、本発明をより詳細に説明する。
【００３１】
図１は、本発明の一実施例としての光路変換光導波路コネクタの外観斜視図である。図１に示されるように、この実施例の光路変換光導波路コネクタは、プラスチック材料等にて成形されたコネクタ本体１０と、このコネクタ本体１０に装着される直角変換光導波路２０とを備える。そして、コネクタ本体１０の先端部には、相手光プラグ（図示していない）のピン穴に挿入される嵌合ピン３０が設けられている。これら嵌合ピン３０は、金属材料にて別に形成しておき、樹脂成形されたコネクタ本体１０のピン挿入穴へ挿入固着してもよいし、コネクタ本体１０の樹脂成形時に一体成形にてコネクタ本体１０に対して取り付け固定するようにしてもよい。なお、コネクタ本体と相手光プラグとの無調心接続が嵌合ピンを介して行われる例を示したが、必ずしも嵌合ピンを用いなければならないわけではない。
【００３２】
図２は、図１の光路変換光導波路コネクタのコネクタ本体１０の詳細構造を示す下面側を上にして示す斜視図であり、図３は、図１の光路変換光導波路コネクタの直角変換光導波路２０の下面側から見た斜視図である。また、図４は、図２のコネクタ本体のＡ−Ａ線断面図であり、図５は、図２のコネクタ本体のＢ−Ｂ線断面図である。以下、これら図を参照しながら、コネクタ本体１０および直角変換光導波路２０の詳細構造について説明する。
【００３３】
先ず、コネクタ本体１０の詳細構造について説明すると、図２によく示されるように、コネクタ本体１０には、下面と前端面との二面をくり抜いて形成された直角変換光導波路２０を受け入れるための光導波路受入空所１１が設けられている。また、コネクタ本体１０には、左右において前端面に嵌合ピン３０を挿入するための嵌合ピン穴１２が設けられている。さらにまた、コネクタ本体１０の後端部の左右には、基板仮固定用ピン穴１３が設けられている。
【００３４】
図１および図２によく示されるように、この実施例においては、コネクタ本体１０の光導波路受入空所１１が設けられた前方部の厚みは、コネクタ本体１０の基板仮固定用ピン穴１３が設けられた後端部の厚みより薄くされており、コネクタ本体１０のこの前方部分の下面には、光導波路受入空所１１の両側に、脚部１４が形成されている。これら脚部１４は、コネクタ本体１０と一体成形されてよい。これら脚部１４は、コネクタ本体１０の後端部の下面とコネクタ本体の前方部の下面との高さの差を埋めるようなものとされている。このような脚部１４を設けることにより、基板と光導波路との距離を調節することが可能となり、コネクタに搭載している光受発光素子が基板と接触し破壊するのを防ぐ。
【００３５】
さらにまた、コネクタ本体１０の後端部の下面には、配線逃げ用の凹部１５が設けられている。この凹部１５は、光受発光素子を駆動させるための配線を逃すためのものであり、このような凹部がない場合には、コネクタと配線とが接触し、配線にダメージを与えてしまい、受発光素子の特性に悪影響を与える可能性がある。
【００３６】
光導波路受入空所１１の底壁の前端部の中央には、直角変換光導波路２０を仮固定するための仮固定用接着剤を塗布し、塗布した接着剤が、不要部分に広がらないようにするための仮固定用接着剤溜り場として浅い凹所１１Ａが形成されており、光導波路受入空所１１の周囲壁部のうち、後端壁部には、完全固定用接着剤を注入するための完全固定用接着剤注入口を作り出す比較的に大きな縦溝１１Ｂが形成されており、左右壁部には、それぞれ２箇所に、完全固定用接着剤回り用の空気穴を与えるための比較的に小さな縦溝１１Ｃが形成されている。
【００３７】
次に、直角変換光導波路２０の詳細構造について説明するに、図３によく示されるように、この実施例においては、この直角変換光導波路２０は、プラスチック材料等にて成形された導波路本体２１を備えており、この導波路本体２１の内部には、多心光導波路が一体成形により埋設されている。この多心光導波路の一端２２Ａは、導波路本体２１の下面側に露出し、この多心光導波路の他端２２Ｂは、導波路本体２１の前端面に露出している。したがって、この実施例における光導波路２０は、下面側から入射した光を前端面側から出射し、逆に、前端面側から入射した光を下面側から出射するようにするものであり、したがって、光伝送の方向を直角方向に変換する直角変換型のものである。さらに、この実施例においては、図３に示されるように、多心光導波路の一端２２Ａに対向した位置に、ＶＣＳＥＬと称される面発光レーザ２３が配設されている。なお、図１の外観斜視図においては、この面発光レーザ２３は、直角変換光導波路２０の下面から分離させた状態で示されている。なお、本発明においては、このような面発光レーザに限らず、その他の種々な発光素子を適用でき、または、発光素子の代わりに種々の受光素子に代えることもできる。
【００３８】
次に、前述したような構成の実施例の光路変換光導波路コネクタの組立手順について詳述する。コネクタ本体１０の光導波路受入空所１１内に直角変換光導波路２０を取り付け固定するのであるが、先ず、仮固定用接着剤溜り場としての浅い凹所１１Ａに仮固定用接着剤、例えば、ＵＶ接着剤の適当量を塗布しておき、その後、直角変換光導波路２０を光導波路受入空所１１内へと、その直角変換光導波路２０の上面側が空所１１の底壁側に来るようにして挿入する。
【００３９】
この状態において、コネクタ本体１０に設けられた嵌合ピン３０を介して相手光プラグを結合させ、その相手光プラグとのアクティブアラインメントを行う。すなわち、直角変換光導波路２０を通して相手光プラグに接続された多心光ファイバーへと伝送される光パワーが最大となる直角変換光導波路２０の位置を探し出す。こうして、光が一番通る直角変換光導波路２０の位置を探し出したら、その位置において、ＵＶ接着剤に対して紫外線を照射することにより、接着剤を硬化させて直角変換光導波路２０をその位置に仮固定させる。
【００４０】
次いで、縦溝１１Ｂによって与えられた完全固定用接着剤注入口から完全固定用接着剤、例えば、熱硬化接着剤の適当量を注入し、この熱硬化接着剤が、縦溝１１Ｃによる空気穴の作用により、光導波路受入空所１１の内壁と直角変換光導波路２０の周囲壁との間に十分に侵入した時点で、熱硬化接着剤に対して熱を加えることにより、熱硬化接着剤を硬化させることにより、直角変換光導波路２０を光導波路受入空所１１内に完全固定させる。
【００４１】
このように、熱硬化接着剤を用いた完全固定工程を設けることにより、耐環境性を強くすることができ、例えば、基板はんだ工程における耐熱性をうることができる。
【００４２】
図６は、図１から図５に関して説明した実施例の変形例を示す図２と同様の図である。この変形例は、前述した実施例と次の点を除いて同じである。前述の実施例においては、光導波路受入空所１１の底壁の前端部の中央に、直角変換光導波路２０を仮固定するための仮固定用接着剤を塗布するための仮固定用接着剤溜り場として浅い凹所１１Ａを設けたのであるが、この図６の変形例では、その浅い凹所１１Ａの中央に、この接着剤溜り場としての浅い凹所１１Ａよりも深さが浅い島状の仮固定用接着剤塗布用部分１１Ａ′を設けている。したがって、この変形例では、島状の仮固定用接着剤塗布用部分１１Ａ′の周囲に残された凹所１１Ａは、環状溝の形の接着剤溜り部を与えている。このような構造とすると、接着剤溜り部よりも深さが浅い島状の仮固定用接着剤塗布用部分１１Ａ′に塗布した接着剤は、確実に光導波路と接する一方、余分な接着剤は、周りの環状溝である接着剤溜り部１１Ａに流れるが、その環状溝を越えてそれ以上余計な部分までは広がることを防ぐことができる。したがって、接着剤量のコントロールが容易であり、より精度の高い接着固定が可能になる。なお、図６においては、接着剤溜り部１１Ａを環状溝としたが、必ずしも環状である必要はない。
【００４３】
前述の実施例は、コネクタ本体に対する光路変換導波路の取り付け固定に際してアクティブアラインメントを行うものであったが、本発明はこれに限定されるものではない。例えば、コネクタ本体および光路変換導波路を高精度に製作するのであれば、コネクタ本体に対する光路変換導波路の取り付け固定に際してアクティブアラインメントを行わないパッシブアラインメントとすることも可能である。次に、このようなパッシブアラインメントによる光路変換光導波路コネクタの実施例について説明する。
【００４４】
図７は、パッシブアラインメントによる実施例としての光路変換光導波路コネクタのコネクタ本体を示す図２と同様の図であり、図８は、図７のコネクタ本体のＡ−Ａ線断面図である。このコネクタ本体に組み付けられる嵌合ピンや直角変換光導波路等については、図１から図５に関して前述した実施例におけるものと同様でよいので、ここでは繰り返し説明しない。
【００４５】
図７によく示されるように、コネクタ本体４０には、下面と前端面との二面をくり抜いて形成された直角変換光導波路を受け入れるための光導波路受入空所４１が設けられている。また、コネクタ本体４０には、左右において前端面に嵌合ピンを挿入するための嵌合ピン穴４２が設けられている。さらにまた、コネクタ本体４０の後端部の左右には、基板仮固定用ピン穴４３が設けられている。
【００４６】
光導波路受入空所４１の底壁の前端部の中央には、直角変換光導波路を固定するための固定用接着剤を塗布するための固定用接着剤溜り場として浅い凹所４１Ａが形成されており、光導波路受入空所４１の後端壁部には、固定用接着剤を注入するための固定用接着剤注入口を作り出す縦溝４１Ｂが形成されている。また、固定用接着剤溜り場としての浅い凹所４１Ａの前端側には、その底壁からコネクタ本体４０の上面へと貫通する空気逃げ穴４１Ｃが形成されている。この空気逃げ穴４１Ｃは、後述するように縦溝４１Ｂによって与えられた固定用接着剤注入口より注入された固定用接着剤が浅い凹所４１Ａの底壁にそって流れ回りうるように作用するものである。
【００４７】
次に、前述したような構成の実施例の光路変換光導波路コネクタの組立手順について詳述する。コネクタ本体４０の光導波路受入空所４１内に前述したような直角変換光導波路２０の如き直角変換光導波路を取り付け固定するのであるが、先ず、その取り付け固定すべき直角変換光導波路を、光導波路受入空所４１内の所定位置に配置する。この実施例のコネクタでは、コネクタ本体４０および直角変換光導波路とも各部の諸寸法が高精度に製作されているので、直角変換光導波路を光導波路受入空所４１内の所定位置に配置するだけで、パッシブアライメントがなされる。すなわち、その所定位置に配置された直角変換光導波路を通して、このコネクタ本体４０の嵌合ピンを介して結合される相手光プラグに接続された多心光ファイバーへと伝送される光パワーが最大となるように設計されているのである。
【００４８】
次いで、縦溝４１Ｂによって与えられた固定用接着剤注入口から固定用接着剤の適当量を注入し、この固定用接着剤が、空気逃げ穴４１Ｃによる作用により、光導波路受入空所４１の内壁と直角変換光導波路の底面との間に十分に侵入し、ここで熱硬化を行うことにより、直角変換光導波路はコネクタ本体４０に対して所定位置に固定されるのである。
【００４９】
前述した実施例において接着剤溜り場を設ける理由としては、もしこのような接着剤溜り場を設けない場合、アクティブアラインメントにおける固定の際に、ＵＶ接着剤が、光導波路とコネクタハウジングの隙間で広がるため、接着不要な部分まで接着され、光学面への漏れが生じたり、ＵＶ硬化の際に軸ずれを生じる等光学特性に悪影響を与える可能性があるからである。また、接着剤が広がるために、接着剤の量のコントロールが難しい等の問題点がでてくるからである。
【００５０】
さらにまた、前述した実施例において、完全固定用接着剤注入口を与える縦溝と完全固定用接着剤回り用空気穴を設ける理由としては、このようにすることによって、アクティブアラインメントで仮固定を行った後に、完全固定を行うことが可能となるからである。また、パッシブアラインメントを行う場合にも、光導波路とコネクタハウジングとの隙間に均一に接着剤が回るため、安定した接着が得られるからである。さらに裏面に空気穴を設けた場合には、空気穴から接着剤が出てきたことにより奥まで流れたことを確認することが可能となり、また接着剤の量をコントロールすることができるからである。
【００５１】
なお、本発明の光コネクタは、主に光路がコネクタ前端面方向と底面方向との間で直角に変換される光路変換光導波路を搭載するのに最適であるが、搭載される光路変換光導波路は必ずしもこれに限定されるものではない。例えば、図９は、１８０°光路変換光導波路を搭載したコネクタを例示している図１と同様の図である。この図９の実施例では、コネクタ本体１０の光導波路受入空所には、１８０°光路変換光導波路２０′が取り付け固定されている。この１８０°光路変換光導波路２０′は、前述した直角変換光導波路２０のような構造を有する光導波路を２つ互いに逆向きに重ね合せたような光導波路であって、後端において直角方向の反射を２回行わせて、光路を１８０°変換できるようにしたものである。したがって、図９のコネクタにおいては、１８０°光路変換光導波路２０′に埋設された多心光導波路の一端２２Ａ′は、コネクタ本体１０の前端面側の下方位置に露出しており、この多心光導波路の他端２２Ｂ′は、コネクタ本体１０の前端面側の上方位置に露出している。したがって、この実施例における光導波路２０′は、前端面側の下方位置から入射した光を前端面側の上方位置から出射し、逆に、前端面側の上方位置から入射した光を前端面側の下方位置から出射するようにするものである。
【００５２】
本発明の適用分野としては、前述したような実施例におけるような光コネクタの分野だけでなく、他の種々な分野に適用でき、特に、その一つの例としては、光電気混載実装の分野に好ましく適用できる。
【産業上の利用可能性】
【００５３】
取扱いが容易で、多心光ファイバと無調心で容易に低損失で光接続を行える光電気混載実装に好適な光路変換光導波路コネクタを提供することができる。
また、光路変換光導波路コネクタの使用環境において、十分な耐熱性を保証することができる。
【００５４】
さらにまた、コネクタ本体に取り付け固定する光路変換光導波路の型を選択するだけで、直角変換だけでなく、任意の角度の光路変換を行えるコネクタとすることができる。
【図面の簡単な説明】
【００５５】
【図１】本発明の一実施例としての光路変換光導波路コネクタの外観斜視図である。
【図２】図１の光路変換光導波路コネクタのコネクタ本体の詳細構造を示す下面側を上にして示す斜視図である。
【図３】図１の光路変換光導波路コネクタの直角変換光導波路の下面側から見た斜視図である。
【図４】図２のコネクタ本体のＡ−Ａ線断面図である。
【図５】図２のコネクタ本体のＢ−Ｂ線断面図である。
【図６】図１の光路変換光導波路コネクタの変形例を示す図２と同様の図である。
【図７】本発明によるパッシブアラインメントによる実施例としての光路変換光導波路コネクタのコネクタ本体を示す図２と同様の図である。
【図８】図６のコネクタ本体のＡ−Ａ線断面図である。
【図９】本発明のさらに別の実施例を示す図１と同様の図である。
【図１０】従来のコネクター付導波路型光能動素子の構成を略示するため光導波路に垂直な方向から見た断面図である。
【図１１】図１０のコネクター付導波路型光能動素子の構成を略示するためコネクター側から見た側面図である。
【符号の説明】
【００５６】
１０  コネクタ本体
１１  光導波路受入空所
１１Ａ  浅い凹所（仮固定用接着剤溜り場）
１１Ｂ  縦溝（完全固定用接着剤注入口）
１１Ｃ  縦溝（完全固定用接着剤回り用空気穴）
１２  嵌合ピン穴
１３  基板仮固定用ピン穴
２０  直角変換光導波路
２１  導波路本体
２２Ａ  多心光導波路の一端
２２Ｂ  多心光導波路の他端
２３  面発光レーザ
３０  嵌合ピン
４０  コネクタ本体
４１  光導波路受入空所
４１Ａ  浅い凹所（固定用接着剤溜り場）
４１Ｂ  縦溝（固定用接着剤注入口）
４１Ｃ  空気逃げ穴
４２  嵌合ピン穴
４３  基板仮固定用ピン穴
【図１】
2005189257.tif 000003
【図２】
2005189257.tif 000004
【図３】
2005189257.tif 000005
【図４】
2005189257.tif 000006
【図５】
2005189257.tif 000007
【図６】
2005189257.tif 000008
【図７】
2005189257.tif 000009
【図８】
2005189257.tif 000010
【図９】
2005189257.tif 000011
【図１０】
2005189257.tif 000012
【図１１】
2005189257.tif 000013